(57)【要約】      （修正有）【課題】不快感を低減できる衛生的な吊手装置を提供する。【解決手段】人手により握られる握り部４とこの握り部４を吊持するストラップ３とを有し、握り部４の少なくとも一部４ａを多孔質体により形成し、その他部に対し着脱可能とし、前記多孔質体の外周面に複数の溝を形成する。また前記多孔質体に外気を通風させる通風孔を多孔質体の軸方向と軸直角方向にそれぞれ形成し、軸方向と軸直角方向の通風孔が相互に連通するように形成する。【選択図】図１
2011255854.tif 000002
【特許請求の範囲】
【請求項１】
人手により握られる握り部とこの握り部を吊持する吊り手とを有する吊手装置において、
前記握り部の少なくとも一部を、多孔質体により形成したことを特徴とする吊手装置。
【請求項２】
前記握り部は、前記多孔質体よりなる一部を、その他部に着脱可能に装着していることを特徴とする請求項１記載の吊手装置。
【請求項３】
前記握り部は、前記多孔質体の外周面に複数の溝を形成していることを特徴とする請求項１または２記載の吊手装置。
【請求項４】
前記多孔質体は、外気を通風させる通風孔を形成していることを特徴とする請求項１〜３のいずれか１項に記載の吊手装置。
【請求項５】
前記通風孔は、前記多孔質体の軸方向と軸直角方向にそれぞれ形成され、これら軸方向と軸直角方向の通風孔が相互に連通するように形成されていることを特徴とする請求項４記載の吊手装置。
【請求項６】
前記多孔質体は、剛性を有する内管に、この内管よりも剛性は低いが気孔率の高い外管を外嵌して二重管に構成されていることを特徴とする請求項１〜５のいずれか１項に記載の吊手装置。
【請求項７】
前記内管が多孔質ポリカーボネートまたは多孔質セラミックスにより形成され、前記外管が多孔質ポリエステルにより形成されていることを特徴とする請求項１〜６のいずれか１項に記載の吊手装置。
【発明の詳細な説明】
【技術分野】
【０００１】
本発明は電車やバス等車両用の吊り革等の吊手装置に関する。
【背景技術】
【０００２】
一般に、この種の吊り革は、人手により握られる円形や三角形の握り部と、この握り部をハンガーパイプに吊持する吊り手としてのストラップを具備している。そして、この従来の握り部はプラスチックにより形成されている。
【０００３】
しかしながら、この握り部は車両の乗客等、不特定多数の人達により握られるので、人の手油や汗、あるいはカビ菌等の細菌やウイルス等、雑菌が付着し易い。このために、特に人が汗をかき易い夏期等では、握り部に「べとべと」感や「ねばねば」感等の不快感を与えたり、人手を介してインフルエンザ等病気感染の虞もある。
【発明の概要】
【発明が解決しようとする課題】
【０００４】
そして、このような従来の吊り革では、上記不快感や病気感染の虞を低減するための対策が殆ど施されておらず、放置されているに過ぎなかった。
【０００５】
本発明はこのような事情を考慮してなされたもので、その目的は、不快感を低減できる衛生的な吊手装置を提供することにある。
【課題を解決するための手段】
【０００６】
本願請求項１に係る吊手装置は、人手により握られる握り部とこの握り部を吊持する吊り手とを有する吊手装置において、前記握り部の少なくとも一部を、多孔質体により形成したことを特徴とする。
【０００７】
本願請求項２に係る吊手装置は、前記握り部は、前記多孔質体よりなる一部を、その他部に着脱可能に装着していることを特徴とする。
【０００８】
本願請求項３に係る吊手装置は、前記握り部は、前記多孔質体の外周面に複数の溝を形成していることを特徴とする。
【０００９】
本願請求項４に係る吊手装置は、前記多孔質体に、外気を通風させる通風孔を形成していることを特徴とする。
【００１０】
本願請求項５に係る吊手装置は、前記通風孔が、前記多孔質体の軸方向と軸直角方向にそれぞれ形成され、これら軸方向と軸直角方向の通風孔が相互に連通するように形成されていることを特徴とする。
【００１１】
本願請求項６に係る吊手装置は、前記多孔質体が、剛性を有する内管に、この内管よりも剛性は低いが気孔率の高い外管を外嵌して二重管に構成されていることを特徴とする。
【００１２】
本願請求項７に係る吊手装置は、前記内管が多孔質ポリカーボネートまたは多孔質セラミックスにより形成され、前記外管が多孔質ポリエステルにより形成されていることを特徴とする。
【発明の効果】
【００１３】
請求項１に係る吊手装置によれば、握り部の少なくとも一部が多孔質体により構成されているので、この握り部が人手により握られたときの手油や汗、雑菌等が多孔質体の多数の気孔内に付着吸着される。このために、握り部外面の「べとべと」感や「ねばねば」感等に起因する不快感を低減できると共に、衛生度を向上できる。
【００１４】
また、握り部の一部が多孔質体である場合は、握り部の全部を多孔質体により形成する場合に比してコスト低減を図ることができる。
【００１５】
請求項２に係る吊手装置によれば、握り部の一部の多孔質体は、握り部の他部に着脱可能に装着されているので、この一部の多孔質体を、他部から簡単に取り外し、洗浄や新品等との交換等のメンテナンスの容易性の向上を図ることができる。特に、電車等のように吊手装置が多数ある場合には、これら握り部のメンテナンスの容易性向上の実用的効果は大きい。
【００１６】
請求項３に係る吊手装置によれば、握り部の多孔質体の外面に、例えばらせん溝や周溝等よりなる複数の溝を形成することにより、多孔質体と人手との接触面積を減少させることができる。このために、多孔質体が人手により握られたときに、この多孔質体の多数の気孔内に吸着ないし付着され、蓄積される手油や汗等の付着吸着物の単位時間当りの付着吸着量の低減を図ることができる。これにより、多孔質体の付着吸着性能の寿命を延ばすことができる。
【００１７】
請求項４に係る吊手装置によれば、多孔質体は外気を通風させる通風孔を具備しているので、多孔質体の多数の気孔により吸着ないし付着された付着吸着物を通風孔の通風により乾燥させ、外気へ飛散させて減少させることができる。このために、多孔質体の付着吸着性能の寿命の延命を図ることができる。
【００１８】
請求項５に係る吊手装置によれば、多孔質体の通風孔が軸方向と軸直角方向（径方向）に形成され、これら通風孔が相互に連通しているので、多孔質体の多数の気孔に吸着ないし付着されて蓄積された付着吸着物を、これら両方向の通風孔の通風によりそれぞれ乾燥させ、外気へ飛散させるので、その分、付着吸着物を減少させることができる。これにより、多孔質体の付着吸着性能の寿命のさらなる延命を図ることができる。
【００１９】
請求項６に係る吊手装置によれば、高剛性の多孔質体の内管により、握り部の機械的強度の向上を図ることができると共に、高気孔率の外管の多孔質体による付着吸着物の付着吸着量の増大を図ることができる。
【００２０】
請求項７に係る吊手装置によれば、請求項６に係る内管の多孔質体が安価で量産が可能の多孔質カーボネートであるので、コスト低減を図ることができる。
【図面の簡単な説明】
【００２１】
【図１】本発明の第１の実施形態に係る吊手装置の正面図。
【図２】（ａ）は本発明の第２の実施形態に係る吊手装置の正面図、（ｂ）は同，要部側面図。
【図３】本発明の第３の実施形態に係る吊手装置の要部側面図。
【図４】図３で示す吊手装置の主握り部の拡大正面図。
【図５】（ａ）は図４のＶａ−Ｖａ線断面図、（ｂ）は図４で示す主握り部の軸方向両端の端栓の正面図、（ｃ）は図３の主握り部を矢視Ｖｃ方向から見たときの矢視図。
【図６】図３のＶＩ部の縦断面図。
【図７】本発明の第４の実施形態に係る吊手装置の主握り部の正面図。
【図８】（ａ）は図７のＶＩＩＩａ−ＶＩＩＩａ線断面図、（ｂ）は同，主握り部の端栓の正面図、（ｃ）は同，主握り部の側面図。
【図９】本発明の第４の実施形態に係る主握り部の変形例の軸横断面図。
【図１０】（ａ）は本発明の第５の実施形態に係る吊手装置の正面図、（ｂ）は同，主握り部を取り外した後の吊手装置の正面図。
【発明を実施するための形態】
【００２２】
以下、本発明の実施形態を図面に基づいて説明する。なお、複数の図面中、同一または相当部分には同一符号を付している。
【００２３】
図１は本発明の第１の実施形態に係る吊手装置１の正面図である。図１に示すようにこの吊手装置１は、電車やバス等車両用のいわゆる吊り革として用いられるものであり、車両内の天井等に吊設される、例えば円管状のハンガーパイプ２を有する。さらに、吊手装置１は、このハンガーパイプ２に吊持される吊り手の一例である帯状のストラップ３と、このストラップ３に吊持される例えば円形の握り部４と、を具備している。この握り部４は、その円形開口を車両の進行方向に対して直交する方向に向けた状態でストラップ３により吊持される。
【００２４】
ストラップ３は、例えば合成樹脂により帯状に形成されたストラップ本体を、環状に形成し、このストラップ本体の環状一端にハンガーパイプ２を挿通し、その環状他端に、円形の握り部４を挿通している。ストラップ３の長手方向中間部には、合成樹脂製の角筒状のスリーブ５が外嵌され、このスリーブ５をねじ止め等によりストラップ３に固定している。
【００２５】
握り部４は、その全体を多孔質体の一例である多孔質カーボネートにより形成されている。但し、握り部４の一部、例えば図１中、円環形の円弧状下部であって、全長の１／３〜２／３程度の人手により握られる可能性の高い主握り部４ａのみを局所的に多孔質カーボネートにより形成し、残りの他部を単なるカーボネート等剛性を有する合成樹脂により一体に連成してもよい。また、多孔質体としては、多孔質アルミナ等の多孔質セラミックスや他の多孔質プラスチック等の剛性を有する多孔質体を用いてもよい。
【００２６】
これら多孔質体は、例えば気孔率が３０〜５０％、気孔径が例えば１０μｍ〜１ｍｍであるが、これら気孔率や気孔径は、握り部４としての必要な強度を保持できれば、いずれでもよい。
【００２７】
この吊手装置１は、握り部４の全体、または少なくとも一部の主握り部４ａが多孔質体により形成されているので、これら握り部４が人手により握られたときの手油や汗、カビ菌等の細菌やウイルス、異臭成分等を多孔質体の多数の気孔内に付着ないし吸着することができる。
【００２８】
このために、握り部４の全体または主握り部４ａの外面に、上記付着物による「べとべと」感や「ねばねば」感の不快感を低減し、細菌やウイルスの感染の虞を低減して衛生度の向上を図ることができる。
【００２９】
また、握り部４の全体を多孔質体により形成する場合には、その分、付着ないし吸着物（以下、吸着物等という）を吸着する気孔数が増大するので、吸着物等の吸着量を増大させることができる。その分、不快感のさらなる低減と、衛星度のさらなる向上を図ることができる。
【００３０】
一方、握り部４の一部、すなわち主握り部４ａのみを局所的に多孔質体を形成する場合には、握り部４全体を多孔質体により形成する場合よりも、コスト低減を図ることができると共に、握り部４全体の機械的強度の向上を図ることができる。
【００３１】
図２（ａ），（ｂ）により示す第２の実施形態に係る吊手装置１Ａは、図１で示す第１の実施形態に係る吊手装置１の円環状の握り部４を、三角形の握り部１４に置換した点に特徴があり、これ以外の構成は第１の実施形態に係る吊手装置１と同様である。
【００３２】
すなわち、三角形の握り部１４は、その全体、または図２（ｂ）中、三角形底辺部であって、人手により主に握られる可能性の高い主握り部１４ａを、例えば多孔質ポリカーボネート等の多孔質プラスチックや、多孔質アルミナ等の多孔質セラミックス等の剛性を有する多孔質体により構成した点に特徴がある。
【００３３】
図３は本発明の第３の実施形態に係る吊手装置１Ｂの要部正面図である。この吊手装置１Ｂは、図２で示す三角形の握り部１４と同様の三角形の握り部２４を具備している。この握り部２４は、その三角形の一部である直状底部であって、人手により握られる可能性の高い主握り部２４ａを、その残りの他部である逆Ｖ字状の握り部本体２４ｂのＶ字状開口端に一体に連成した一対の取付部２４ｂ１，２４ｂ２に着脱可能に装着し、この主握り部２４ａを、上記多孔質ポリカーボネート等の多孔質プラスチックや、多孔質アルミナ等の多孔質セラミックス等の剛性を有する多孔質体により構成した点に主な特徴を有する。
【００３４】
そして、図４に示すように主握り部２４ａは、直状円管状の主握り部本体２４ａ１の外周面に、所要深さの複数の周溝２４ａ２，２４ａ２，…を、軸方向に所要のピッチを置いて形成している。これら周溝２４２，２４ａ２，…は軸方向で隣り合う溝同士を一体に連結させてなる螺旋状に形成してもよい。
【００３５】
図４，図５（ａ）に示すように、主握り部２４ａは、その円管状の主握り部本体２４ａ１に、その周溝２４ａ２の底部外周面において、直径方向に貫通する複数の通風孔２４ａ３，２４ａ３，…を軸方向に所要のピッチで形成している。これら通風孔２４ａ３，２４ａ３，…により主握り部本体２４ａ１の内腔が外気に連通し通風できる。
【００３６】
図５（ｂ）は、主握り部２４ａの軸方向両端にそれぞれ固着される端栓２４ａ４の正面図、図５（ｃ）は図３の握り部２４の逆Ｖ字状の握り部本体２４ｂの一方の開口端部外面を矢視Ｖｃから見たときの矢視図、図６は図３で示すＶＩ部の拡大縦断面図である。
【００３７】
これらの図に示すように、左右一対の端栓２４ａ４，２４ａ４は、主握り部本体２４ａ１とほぼ同径の外径を有する円盤状の端栓本体２４ａ５を主握り部２４ａと同様の多孔質ポリカーボネート等の剛性を有する多孔質体により形成し、端栓本体２４ａ５の左右一対の開口端に、シリコーン樹脂等の接着剤により同心状に固着される。端栓本体２４ａ５の正面中央部には、図４（ｃ）で示す止めねじ２４ｂ３のねじ軸に螺合するねじ孔２４ａ６を形成し、このねじ孔２４ａ６の外周側には、端栓本体２４ａ５の板厚方向に貫通する円弧状の複数の端部通風孔２４ａ７，２４ａ７，…を周方向に所要の間隔を置いて配設している。
【００３８】
図６に示すように、これら各端部通風孔２４ａ７を介して外気が円管状の主握り部２４ａ１の内腔と連通している。
【００３９】
逆Ｖ字状の握り部本体２４ｂは例えばポリカーボネート等の剛性を有するプラスチックにより形成され、そのＶ字状開口部の両端には、図３中、左右一対の取付部２４ｂ１，２４ｂ２を一体に形成している。
【００４０】
図５（ｃ）に示すように、これら一対の取付部２４ｂ１，２４ｂ２は、左右一対の端栓本体２４ａ５，２４ａ５とほぼ同径同大の円盤状の取付部本体２４ｂ４をそれぞれ有する。これら各取付部本体２４ｂ４の中心部には、止めねじ２４ｂ３をねじ込ませるねじ溝２４ｂ５をそれぞれ形成している。このねじ溝２４ｂ５の外周側には、取付部本体２４ｂ４の板厚方向に貫通して、端栓２４ａ４の端部通風孔２４ａ７に連通する取付部通風孔２４ｂ６，２４ｂ６をそれぞれ形成している。
【００４１】
そして、図６に示すように握り部本体２４ｂの一対の取付部２４ｂ１，２４ｂ１は、その内端側において、主握り部２４ａを軸方向内側へ向けて挟持する状態で一対の止めねじ２４ｂ３，２４ｂ３を締め付けることにより取り付ける一方、一対の止めねじ２４ｂ３，２４ｂ３を緩め、外すことにより、主握り部２４ａを握り部本体２４ｂから簡単かつ迅速に取り外すことができる。
【００４２】
また、主握り部２４ａはその外周面に螺旋状等の周溝２４ａ２を形成して、その外周面の表面積を減少させているので、この主握り部２４ａが人手により握られたときの主握り部２４ａと人手との接触面積を減少させることができる。このために、主握り部２４ａに付着ないし吸着される手油や汗等の吸着物等の付着吸着量を低減できる。このために、付着吸着性能の寿命の延命を図ることができる。
【００４３】
さらに、握り部２４中、特に人手により握られる可能性の高い主握り部２４ａのみを多孔質体により形成したので、握り部２４全部を多孔質体により形成する場合よりもコスト低減を図ることができると共に、握り部２４全体の機械的強度の向上を図ることができる。
【００４４】
そして、主握り部２４ａの通風孔２４ａ３，…が主握り部２４ａ１の内腔と相互に連通しているので、多孔質体の多数の気孔に吸着ないし付着されて蓄積された吸着物等を、これら通風孔２４ａ３，…の通風によりそれぞれ乾燥させ、または外気へ飛散させるので、その分、吸着物等を減少させることができる。これにより、多孔質体の付着吸着性能の寿命のさらなる延命を図ることができる。
【００４５】
図７は本発明の第４の実施形態に係る主握り部３４ａの拡大正面図である。この主握り部３４ａは、直状円管状の主握り部本体３４ａ１のほぼ外周に、多孔質体よりなる編目状のネット部３４ａ２を突設形成して人手との接触面積の減少を図った点に特徴がある。
【００４６】
また、図８（ａ）に示すように、主握り部本体３４ａ１は、内管３４ａ３とこの内管３４ａ３に密に外嵌される外管３４ａ４とにより２重管に形成された点に特徴がある。
【００４７】
内管３４ａ３と外管３４ａ４は共に多孔質体により形成されるが、外管３４ａ４を、例えば剛性は劣るが気孔率の高い多孔質ポリエステル等により形成し、内管３４ａ３を、機械的強度の高い多孔質ポリカーボネートや多孔質セラミックスにより形成してもよい。
【００４８】
これにより、主握り部３４ａに負荷される吊り荷重に対する耐荷重性を向上できると共に、多孔質による吸着物等の付着吸着性能を向上できる。
【００４９】
そして、図７で示す主握り部３４ａ１の通風孔２４ａ３、図８（ｂ）で示す一対の端栓２４ａ４，２４ａ４および図８（ｃ）で示す握り部本体２４ｂの一対の取付部２４ｂ１，２４ｂ２は、図３〜図６で示す主握り部２４ａの通風孔２４ａ３、端栓２４ａ４，２４ａ４および一対の取付部２４ｂ１，２４ｂ２と同様に構成されているので、図７，図８中、図３〜図６と同一または相当部分には同一符号を付して、その重複した説明は省略している。
【００５０】
なお、上記２重管よりなる主握り部３４ａ１を、図９で示す２重軸４４ａにより構成してもよい。すなわち、この２重軸４４ａは、多孔質ポリカーボネート等の機械的強度の高い多孔質体により丸棒状の内軸４４ａ１を構成し、この内軸４４ａ１に外嵌される円管状の外軸４４ａ２を、気孔率の高い多孔質ポリエステル等により形成している。また、この外軸４４ａ２には、その軸方向に延在する所要深さの複数の有底縦溝４４ａ３，４４ａ３，…を周方向に所要の間隔を置いて形成している。
【００５１】
図１０（ａ）は本発明の第５の実施形態に係る吊手装置１Ｃの正面図、同（ｂ）は、逆Ｕ字状の握り部本体５４ｂから直棒状の主握り部２４ａ，３４ａを取り外した状態を示す正面図である。
【００５２】
この吊手装置１Ｃは、握り部２４における主握り部２４ａ，３４ａ以外の握り部本体５４ｂを、例えば逆Ｕ字状の弾性を有する金属製の板ばね等により形成し、この握り部本体５４ｂの一対の取付部２４ｂ１，２４ｂ２から主握り部２４を取り外したときに、この握り部本体５４ｂのＵ字開口を弾性復元力により拡大させるように構成している点に特徴がある。
【００５３】
この吊手装置１Ｃによれば、握り部本体５４ｂの一対の取付部２４ｂ１，２４ｂ２から主握り部２４ａを取り外したときに、握り部本体５４ｂのＵ字状開口を弾性復元力により拡大できるので、主握り部２４ａの取外しを簡単かつ迅速に行なうことができる。
【００５４】
なお、上記各実施形態では吊り手としてストラップ３を用いた場合について説明したが、本発明はこれに限定されるものではなく、例えばリコ式の吊り手を用いることができる。このリコ式はストラップ３に代えて、金属製のアームをハンガーパイプ２に、コイルばねにより車体の外側へ向いて常時跳ね上がるように設けたものである。
【符号の説明】
【００５５】
１，１Ａ，１Ｂ，１Ｃ  吊手装置
２  ハンガーパイプ
３  ストラップ（吊り手）
４，２４，３４  握り部
４ａ，２４ａ，３４ａ  主握り部
２４ａ１，３４ａ１  主握り部本体
２４ａ２  周溝
２４ａ３  通風孔
２４ａ４  端栓
２４ａ５  端栓本体
２４ｂ  握り部本体
２４ｂ１，２４ｂ２  取付部
２４ｂ３  止めねじ
【図１】
2011255854.tif 000003
【図２】
2011255854.tif 000004
【図３】
2011255854.tif 000005
【図４】
2011255854.tif 000006
【図５】
2011255854.tif 000007
【図６】
2011255854.tif 000008
【図７】
2011255854.tif 000009
【図８】
2011255854.tif 000010
【図９】
2011255854.tif 000011
【図１０】
2011255854.tif 000012